(57)【要約】【課題】近接する少なくとも２つの通信帯域と、これら通信帯域と分離可能な帯域とにおいて、個別のアンテナを設けることなく並行して通信が可能となる携帯通信端末を提供することを目的とする。【解決手段】携帯通信端末は、第１周波数帯での通信と利用される周波数が相互に近接する第１通信帯域と第２通信帯域とを含む第２周波数帯での通信とを行うアンテナで受信した信号に対して周波数分離を行い、前記第１周波数帯及び前記第２周波数帯の何れかの信号を出力する周波数分離回路と、前記第１周波数帯として分離された信号が入力される第１通信部と、時間分離方式により前記第２周波数帯として分離された信号の入力先を当該信号の通信帯域に応じた入力先へと切り替えて当該信号を出力する切替部と、前記第１通信帯域の信号が入力される第２通信部と、前記第２通信帯域の信号が入力される第３通信部とを備える。【選択図】  図１
2014220851.tif 000002
【特許請求の範囲】
【請求項１】
第１周波数帯での通信と、利用される周波数が互いに近接する第１通信帯域と第２通信帯域とを含む第２周波数帯での通信とを行うアンテナと、
前記アンテナで受信した信号に対して周波数分離を行い、前記第１周波数帯及び前記第２周波数帯の何れかの信号を出力する周波数分離回路と、
前記第１周波数帯として分離された信号が入力される第１通信部と、
通信の時間帯毎に前記第１通信帯域及び前記第２通信帯域が割り当てられた時間分離方式により、前記第２周波数帯として分離された信号の出力先を切り替え、当該信号を出力する切替部と、
前記切替部から出力された前記第１通信帯域の信号が入力される第２通信部と、
前記切替部から出力された前記第２通信帯域の信号が入力される第３通信部とを備える
ことを特徴とする携帯通信端末。
【請求項２】
前記アンテナは受信専用のアンテナであり、
前記第１周波数帯は、ＧＰＳ（Ｇｌｏｂａｌ  Ｐｏｓｉｔｉｏｎｉｎｇ  Ｓｙｓｔｅｍ）の受信帯域である１５７５ＭＨｚ帯であり、
前記第２周波数帯は、ＰＣＳ（Ｐｅｒｓｏｎａｌ  Ｃｏｍｍｕｎｉｃａｔｉｏｎｓ  Ｓｅｒｖｉｃｅ）及びＡＷＳ（Ａｄｖａｎｃｅｄ  Ｗｉｒｅｌｅｓｓ  Ｓｅｒｖｉｃｅｓ）の受信帯域である１９３０〜２１５５ＭＨｚ帯であり、
前記第１通信帯域は、ＰＣＳの受信帯域である１９３０〜１９９０ＭＨｚ帯であり、
前記第２通信帯域は、ＡＷＳの受信帯域である２１１０〜２１５５ＭＨｚ帯である
ことを特徴とする請求項１に記載の携帯通信端末。
【請求項３】
前記第２通信部は、さらに、
前記第１通信帯域の信号を送信する第１送信機能を有し、前記時間分離方式により通信時間が割り当てられ前記切替部を介して前記周波数回路と接続されると、前記第１送信機能により前記第１通信帯域の信号を前記周波数回路を介して送信し、
前記第３通信部は、さらに、
前記第２通信帯域の信号を送信する第２送信機能を有し、前記時間分離方式により通信時間が割り当てられ前記切替部を介して前記周波数回路と接続されると、前記第２送信機能により前記第２通信帯域の信号を前記周波数回路を介して送信する
ことを特徴とする請求項１に記載の携帯通信端末。
【請求項４】
前記第１周波数帯は、ＧＰＳ（Ｇｌｏｂａｌ  Ｐｏｓｉｔｉｏｎｉｎｇ  Ｓｙｓｔｅｍ）の受信帯域である１５７５ＭＨｚ帯であり、
前記第２周波数帯は、１８５０〜２１５５ＭＨｚ帯であり、
前記第１通信帯域は、ＰＣＳ（Ｐｅｒｓｏｎａｌ  Ｃｏｍｍｕｎｉｃａｔｉｏｎｓ  Ｓｅｒｖｉｃｅ）の送受信帯域である１８５０〜１９９０ＭＨｚ帯であり、
前記第２通信帯域は、ＡＷＳ（Ａｄｖａｎｃｅｄ  Ｗｉｒｅｌｅｓｓ  Ｓｅｒｖｉｃｅｓ）の送受信帯域である１７１０〜１７５５ＭＨＺ及び２１１０〜２１５５ＭＨｚ帯である
ことを特徴とする請求項３に記載の携帯通信端末。
【発明の詳細な説明】
【技術分野】
【０００１】
本発明は、複数の周波数帯で通信を実行する携帯通信端末に関する。
【背景技術】
【０００２】
携帯通信端末において、複数の周波数帯で通信を実行するものがある。
【０００３】
このような通信を可能とする技術として、時間分離方式と周波数分離方式とがある。
【０００４】
時間分離方式とは、通信の時間帯毎に周波数帯を割り当てる方式であり、複数の周波数帯それぞれが同一の時間帯で通信を行う必要がない場合において有効な方式である。
【０００５】
また、周波数分離方式とは、特許文献１に開示されているように、受信した信号の周波数帯に応じて、通信処理を振り分ける方式である。当該方式により分離が可能な少なくとも２つの周波数帯が同時に通信する場合において有効である。
【０００６】
近年の携帯通信端末は、ＧＰＳ（Ｇｌｏｂａｌ  Ｐｏｓｉｔｉｏｎｉｎｇ  Ｓｙｓｔｅｍ）機能を実行するものがある。ＧＰＳ機能は、他の周波数帯の通信と同時に行われている。
【０００７】
一方で、通信に用いるべき新たな周波数帯が割り当てられている。具体的な事例では、ＡＷＳ（Ａｄｖａｎｃｅｄ  Ｗｉｒｅｌｅｓｓ  Ｓｅｒｖｉｃｅｓ）帯であり、その通信帯域として１７１０〜１７５５ＭＨＺ及び２１１０〜２１５５ＭＨｚ帯が用いられている。このＡＷＳ帯は、既に通信に利用されている通信の帯域が１８５０〜１９９０ＭＨｚ帯であるＰＣＳ（Ｐｅｒｓｏｎａｌ  Ｃｏｍｍｕｎｉｃａｔｉｏｎ  Ｓｅｒｖｉｃｅｓ）帯と近接する周波数帯域となっている。
【先行技術文献】
【特許文献】
【０００８】
【特許文献１】特開２００２−１０１００５号公報
【発明の概要】
【発明が解決しようとする課題】
【０００９】
携帯通信端末において、ＧＰＳ機能と、ＰＣＳ帯及びＡＷＳ帯の通信とを実現するために、周波数分離方式を用いることは困難である。なぜなら、ＰＣＳ帯とＡＷＳ帯とは近接しているので、周波数分離に用いられるフィルタの物理的制限により周波数の分離が困難だからである。そこで、時間分離方式を用いるとすると、ＰＣＳ帯とＡＷＳ帯とは個別に通信可能となるが、ＧＰＳ機能を他の周波数帯の通信と並行して用いることができない。
【００１０】
そのため、ＧＰＳ機能のためのアンテナと、他の周波数帯の通信のためのアンテナとをそれぞれ設けることが考えられる。しかしながら、小型化が進む携帯通信端末においては、２つのアンテナを設けることは得策ではない。
【００１１】
そこで、本発明は、近接する少なくとも２つの通信帯域と、これら通信帯域と分離可能な帯域とにおいて、個別のアンテナを設けることなく並行して通信が可能となる携帯通信端末を提供することを目的とする。
【課題を解決するための手段】
【００１２】
上記目的を達成するために、本発明は、携帯通信端末であって、第１周波数帯での通信と、利用される周波数が互いに近接する第１通信帯域と第２通信帯域とを含む第２周波数帯での通信とを行うアンテナと、前記アンテナで受信した信号に対して周波数分離を行い、前記第１周波数帯及び前記第２周波数帯の何れかの信号を出力する周波数分離回路と、前記第１周波数帯として分離された信号が入力される第１通信部と、通信の時間帯毎に前記第１通信帯域及び前記第２通信帯域が割り当てられた時間分離方式により、前記第２周波数帯として分離された信号の出力先を切り替え、当該信号を出力する切替部と、前記切替部から出力された前記第１通信帯域の信号が入力される第２通信部と、前記切替部から出力された前記第２通信帯域の信号が入力される第３通信部とを備えることを特徴とする。
【発明の効果】
【００１３】
上記の構成によると、携帯通信端末は、利用される周波数が互いに近接する第１通信帯域及び第２通信帯域について、第２周波数帯として周波数分離を行った後、時間分離方式により分離している。これにより、１つのアンテナにより、第１周波数帯の通信と第２周波数帯の通信とは同時に行うことができ、且つ同時に通信を行う必要のない第２周波数帯に含まれる第１通信帯域の通信と第２通信帯域との通信についても時間分離方式により確実に行うことができる。従って、当該携帯通信端末は、個別のアンテナを設けることなく、第１通信帯域及び第２通信帯域それぞれによる通信と、第１周波数帯の通信とを並行して実行することができる。
【図面の簡単な説明】
【００１４】
【図１】携帯電話機１の構成を示すブロック図である。
【図２】周波数分離回路１０の構成を示すブロック図である。
【図３】（ａ）はセルラー帯、ＧＰＳ帯、ＰＣＳ帯及びＡＷＳ帯それぞれの周波数帯の関係を示す図であり、（ｂ）は各周波数帯での通信時間の関係の一例を示す図である。
【図４】携帯電話機１ａの構成を示すブロック図である。
【発明を実施するための形態】
【００１５】
１．第１の実施の形態
以下、本発明に係る携帯通信端末の一実施形態である携帯電話機について説明する。
【００１６】
１．１  構成
本実施の形態における携帯電話機１は、セルラー（Ｃｅｌｌｕｌａｒ）帯、ＰＣＳ（Ｐｅｒｓｏｎａｌ  Ｃｏｍｍｕｎｉｃａｔｉｏｎ  Ｓｅｒｖｉｃｅｓ）帯及びＡＷＳ（Ａｄｖａｎｃｅｄ  Ｗｉｒｅｌｅｓｓ  Ｓｅｒｖｉｃｅｓ）帯で通信が可能であり、且つＧＰＳ（Ｇｌｏｂａｌ  Ｐｏｓｉｔｉｏｎｉｎｇ  Ｓｙｓｔｅｍ）機能による測位を実行するものである。
【００１７】
携帯電話機１は、図１に示すように、周波数分離回路１０、アンテナ１１、切替部２０、セルラー帯通信回路３０、ＰＣＳ帯通信回路４０と、ＡＷＳ帯通信回路５０、ＧＰＳ帯通信回路６０及びCPU７０から構成されている。
【００１８】
なお、携帯電話機１は、図１においては通信機能に係る構成要素だけを示しているが、その他キー操作部、マイク及びスピーカーなど、携帯電話機としての機能を備えている。
【００１９】
（１）アンテナ１１
アンテナ１１は、セルラー（Ｃｅｌｌｕｌａｒ）帯、ＰＣＳ帯及びＡＷＳ帯での通信、及びＧＰＳ帯での信号の受信に用いられる。
【００２０】
（２）セルラー帯通信回路３０
セルラー帯通信回路３０は、セルラー帯で通信を実行する機能を有する通信回路である。
【００２１】
セルラー帯通信回路３０は、ＣＰＵ７０からの指示にしたがって、アンテナ１１及び周波数分離回路１０を介して、セルラー帯で基地局などの外部機器と通信を実行する機能を有する。
【００２２】
ここで、セルラー帯として、上り８２４〜８４９ＭＨｚ、下り８６９〜８９４ＭＨｚという周波数帯域が用いられる。
【００２３】
セルラー帯通信回路３０は、図１に示すように、周波数分離部３１、送信回路３２及び受信回路３３を有している。
【００２４】
周波数分離部３１は、例えば、ＳＡＷ  Ｄｕｐｌｅｘｅｒであり、下りの周波数帯で、アンテナ１１及び周波数分離回路１０を介して外部機器からの信号を受信すると、受信した信号を受信回路３３へ出力する。また、周波数分離部３１は、上りの周波数帯で送信回路３２から信号を受け取ると、受け取った信号をアンテナ１１及び周波数分離回路１０を介して外部機器へ送信する。
【００２５】
送信回路３２は、ＣＰＵ７０から伝達された信号を、変調及び増幅して周波数分離部３１へ出力する。
【００２６】
受信回路３３は、アンテナ１１で受信したセルラー帯の信号を復調し、復調した信号をＣＰＵ７０に伝達する。
【００２７】
（３）ＰＣＳ帯通信回路４０
ＰＣＳ帯通信回路４０は、ＰＣＳ帯で通信を実行する機能を有する通信回路である。
【００２８】
ＰＣＳ帯通信回路４０は、ＣＰＵ７０からの指示にしたがって、アンテナ１１及び周波数分離回路１０を介して、ＰＣＳ帯で基地局などの外部機器と通信を実行する機能を有する。
【００２９】
ここでのＰＣＳ帯とは、上り１８５０〜１９１０ＭＨｚ、下り１９３０〜１９９０ＭＨｚの広帯域ＰＣＳ帯をいう。また、ＰＣＳ帯におけるチャンネルは、１チャンネル毎に０．０５ＭＨｚ増加するように設定されている。つまり、ＰＣＳ帯の上りの２５チャンネルの周波数は１８５１．２５ＭＨｚ、２６チャンネルの周波数は１８５１．３０ＭＨｚ、・・・、１１７４チャンネルの周波数は１９０８．７０ＭＨｚ、１１７５チャンネルの周波数は１９０８．７５ＭＨｚとなっている。また、ＰＣＳ帯の下りの２５チャンネルの周波数は１９３１．２５ＭＨｚ、２６チャンネルの周波数は１９３１．３０ＭＨｚ、・・・、１１７４チャンネルの周波数は１９８８．７０ＭＨｚ、１１７５チャンネルの周波数は１９８８．７５ＭＨｚとなっている。なお、実際には、通信には隣接する周波数同士の帯域幅の重複が発生しないよう２５チャンネル刻みのチャンネルが使用される。
【００３０】
ＰＣＳ帯通信回路４０は、図１に示すように、周波数分離部４１、送信回路４２及び受信回路４３を有している。
【００３１】
周波数分離部４１は、例えば、ＳＡＷ  Ｄｕｐｌｅｘｅｒであり、下りの周波数帯で、アンテナ１１及び周波数分離回路１０を介して外部機器からの信号を受信すると、受信した信号を受信回路４３へ出力する。また、周波数分離部４１は、上りの周波数帯で送信回
路４２から信号を受け取ると、受け取った信号をアンテナ１１及び周波数分離回路１０を介して外部機器へ送信する。
【００３２】
送信回路４２は、ＣＰＵ７０から伝達された信号を、変調及び増幅して周波数分離部４１へ出力する。
【００３３】
受信回路４３は、アンテナ１１で受信したＰＣＳ帯の信号を復調し、復調した信号をＣＰＵ７０に伝達する。
【００３４】
（４）ＡＷＳ帯通信回路５０
ＡＷＳ帯通信回路５０は、ＡＷＳ帯で通信を実行する機能を有する通信回路である。
【００３５】
ＡＷＳ帯通信回路５０は、ＣＰＵ７０からの指示にしたがって、アンテナ１１及び周波数分離回路１０を介して、ＡＷＳ帯で基地局などの外部機器と通信を実行する機能を有する。
【００３６】
ここでのＡＷＳ帯とは、上り１７１０〜１７５５ＭＨｚ、下り２１１０〜２１５５ＭＨｚの周波数帯をいう。ＡＷＳ帯のチャンネルもＰＣＳ帯と同様に０．０５ＭＨｚ刻みでチャンネルが設定されており、上りの方で言えば、２５チャンネルの周波数は１７１１．２５ＭＨｚ、２６チャンネルの周波数は１７１１．３０ＭＨｚ、・・・、８７４チャンネルの周波数は１７５３．７０ＭＨｚ、８７５チャンネルの周波数は１７５３．７５ＭＨｚとなっている。
【００３７】
ＡＷＳ帯通信回路５０は、図１に示すように、周波数分離部５１、送信回路５２及び受信回路５３を有している。
【００３８】
周波数分離部５１は、例えば、ＳＡＷ  Ｄｕｐｌｅｘｅｒであり、下りの周波数帯で、アンテナ１１及び周波数分離回路１０を介して外部機器からの信号を受信すると、受信した信号を受信回路５３へ出力する。また、周波数分離部５１は、上りの周波数帯で送信回路５２から信号を受け取ると、受け取った信号をアンテナ１１及び周波数分離回路１０を介して外部機器へ送信する。
【００３９】
送信回路５２は、ＣＰＵ７０から伝達された信号を、変調及び増幅して周波数分離部４１へ出力する。
【００４０】
受信回路５３は、アンテナ１１で受信したＡＷＳ帯の信号を復調し、復調した信号をＣＰＵ７０に伝達する。
【００４１】
（５）ＧＰＳ帯通信回路６０
ＧＰＳ帯通信回路６０は、ＧＰＳ帯で通信を実行する機能を有する通信回路である。
【００４２】
ＧＰＳ帯通信回路６０は、ＣＰＵ７０からの指示にしたがって、アンテナ１１及び周波数分離回路１０を介して、ＧＰＳ帯でＧＰＳ衛星などの外部機器と通信を実行する機能を有する。
【００４３】
ここで、ＧＰＳ帯として、１５７５ＭＨｚの周波数が用いられる。
【００４４】
ＧＰＳ帯通信回路６０は、図１に示すように、受信回路６３を有している。
【００４５】
受信回路６３は、アンテナ１１で受信したＧＰＳ帯の信号を復調し、復調した信号をＣ
ＰＵ７０に伝達する。
【００４６】
（６）周波数分離回路１０
周波数分離回路１０は、例えば、３周波分配器であり、図２に示すように、ローパスフィルタ１００、バンドパスフィルタ１０１及びハイパスフィルタ１０２から構成されている。
【００４７】
ローパスフィルタ１００は、特定の閾値よりも高い周波数信号を減衰させて遮断し、低域周波数のみを信号として通過させる機能を有している。具体的には、ローパスフィルタ１００はセルラー帯の信号を通過させ、ＧＰＳ帯、ＰＣＳ帯及びＡＷＳ帯の信号を遮断する。ローパスフィルタ１００は、アンテナ１１で受信したセルラー帯の信号をセルラー帯通信回路３０へ出力する。また、ローパスフィルタ１００は、セルラー帯通信回路３０から受け取ったセルラー帯の信号をアンテナ１１を介して送信する。
【００４８】
バンドパスフィルタ１０１は、特定の周波数の範囲のみを通過させ、それ以外の周波数を遮断する機能を有している。具体的には、バンドパスフィルタ１０１はＧＰＳ帯の信号を通過させ、セルラー帯、ＰＣＳ帯及びＡＷＳ帯の信号を遮断する。バンドパスフィルタ１０１は、アンテナ１１で受信したＧＰＳ帯の信号をＧＰＳ帯通信回路６０へ出力する。
【００４９】
ハイパスフィルタ１０２は、特定の閾値よりも低い周波数信号を減衰させて遮断し、高域周波数のみを信号として通過させる機能を有している。具体的には、ハイパスフィルタ１０２は、ＰＣＳ帯及びＡＷＳ帯の双方の帯域である１７１０〜２１５５ＭＨｚの周波数帯（以下、高域周波数帯という。）の信号を通過させ、セルラー帯及びＧＰＳ帯の信号を遮断する。ローパスフィルタ１００は、アンテナ１１で受信した高域周波数帯の信号を切替部２０へ出力する。また、ハイパスフィルタ１０２は、切替部２０を介して受け取った信号をアンテナ１１を介して送信する。
【００５０】
（７）切替部２０
切替部２０は、ＰＣＳ帯の通信とＡＷＳ帯の通信を、時間分離方式により切り替えるためのものであり、例えば、ＦＥＴ（ｆｉｅｌｄ−ｅｆｆｅｃｔ  ｔｒａｎｓｉｓｔｏｒ）を用いたスイッチである。
【００５１】
切替部２０は、ＣＰＵ７０からの指示に従い、周波数分離回路１０とＰＣＳ帯通信回路４０及びＡＷＳ帯通信回路５０との接続状態を切り替える機能を有する。図１では、周波数分離回路１０とＰＣＳ帯通信回路４０とが接続されている状態を示している。
【００５２】
（８）ＣＰＵ７０
ＣＰＵ７０は、携帯電話機１の各部を制御する機能を有し、携帯電話機１が通常有する各種の機能を実行する。
【００５３】
ＣＰＵ７０は、基地局から受信した信号、及びユーザの操作指示に従って、動作する。例えば、ＧＰＳ帯の信号が受信されると、ＣＰＵ７０は、測位システムにより当該装置の位置を測定する。また、セルラー帯、ＰＣＳ帯及びＡＷＳ帯において、ＣＰＵ７０は、基地局などの外部装置との間で、発信信号及び着信信号の送受信や、位置登録の処理に係る信号の送受信を行う。
【００５４】
また、ＣＰＵ７０は、ＰＣＳ帯及びＡＷＳ帯の双方の通信を実現するために、ＰＣＳ帯及びＡＷＳ帯とを相互に切り替えられて送信された信号を受信するために、時間分離方式により切替部２０を切り替える機能を有している。具体的には、先ず、ＣＰＵ７０は、外部の装置、例えば基地局と通信の同期をとる。通信の同期が完了すると、ＣＰＵ７０は、
時間を計時する。そして、ＣＰＵ７０は、ＰＣＳ帯での通信時間が到来すると周波数分離回路１０とＰＣＳ帯通信回路４０とが接続されるよう切替部２０を制御する。ＣＰＵ７０は、ＡＷＳ帯での通信時間が到来すると周波数分離回路１０とＡＷＳ帯通信回路５０とが接続されるよう切替部２０を制御する。
【００５５】
１．２  まとめ
ここでは、図３（ａ）及び（ｂ）を用いて、携帯電話機１において、各周波数帯での通信が可能であることを説明する。
【００５６】
通常、ＧＰＳ機能は、他の周波数帯での通信が行われているかいないかに関わらず、通信が可能である必要がある。つまり、セルラー帯、ＰＣＳ帯及びＡＷＳ帯の通信において、並行してＧＰＳ機能が実行される必要がある。
【００５７】
上述したように、セルラー帯は上り８２４〜８４９ＭＨｚとし、下り８６９〜８９４ＭＨｚとする周波数帯であり、ＧＰＳ帯は１５７５ＭＨｚを周波数帯とし、ＰＣＳ帯及びＡＷＳ帯を含む高域周波数帯は１７１０〜２１５５ＭＨｚを周波数帯としている。これら３つの周波数帯の関係を図３（ａ）に示す。図３（ａ）からも分かるように、セルラー帯、ＧＰＳ帯及び高域周波数帯は、互いに近接していないので、携帯電話機１は周波数分離回路１０を用いて、これら３つの周波数帯（セルラー帯、ＧＰＳ帯及び高域周波数帯）に分離することで、ＧＰＳ機能は、セルラー帯及び高域周波数帯の通信時において、同時に実行することができる。
【００５８】
だが、周波数分離回路１０は、セルラー帯、ＧＰＳ帯及び高域周波数帯に分離するだけなので、ＰＣＳ帯及びＡＷＳ帯の通信を分離していない。これは、ＰＣＳ帯及びＡＷＳ帯は互いに近接しているためである。そのため、ＰＣＳ帯及びＡＷＳ帯の通信を確実に行うことができない。従来の通信において、セルラー帯の通信時間、ＰＣＳ帯の通信時間及びＡＷＳ帯の通信時間は重複することはない。そこで、周波数分離回路１０で分離された高域周波数帯を時間分離方式により分離することで、ＰＣＳ帯及びＡＷＳ帯の通信それぞれが確実に行うことができる。
【００５９】
各周波数帯の通信と通信時間との関係の一例を図３（ｂ）に示す。
【００６０】
図３（ｂ）において、通信時間Ｔ１００はセルラー帯での通信時間を、通信時間Ｔ１１０はＰＣＳ帯での通信時間を、通信時間Ｔ１２０はＡＷＳ帯での通信時間を、それぞれ示す。通信時間Ｔ１３０〜Ｔ１３２はＧＰＳ帯の通信時間を示すものであるが、上述したように、他の周波数帯の通信時間を重複している。ただし、図３（ａ）で示すように、周波数分離回路１０によりＧＰＳ帯の通信と他の周波数帯の通信とは分離することができるので、ＧＰＳ帯の通信と他の周波数帯の通信を行うことができる。
【００６１】
また、周波数分離回路１０により分離された高域周波数帯での通信は、さらに、時間分離方式により、ＰＣＳ帯での通信とＡＷＳ帯での通信を分離することで、図３（ｂ）のように、それぞれの周波数帯で確実に通信を行うことができる。
【００６２】
１．３  変形例
以上、実施の形態及び変形例に基づいて説明したが、本発明は上記の実施の形態及び変形例に限られない。例えば、以下のような変形例が考えられる。
【００６３】
（１）上記実施の形態において、通信に用いる周波数帯を、セルラー帯、ＧＰＳ帯、ＰＣＳ帯及びＡＷＳ帯としたが、これに限定されない。
【００６４】
少なくとも３つ以上の周波数帯が通信に用いられ、そのうちの一の周波数帯の通信は他の周波数帯の通信と並行して行われ、且つ他の周波数帯のうち２つの周波数帯は近接するものであればよい。
【００６５】
（２）上記実施の形態において、アンテナ１１は、信号を送受信するものとしたが、これに限定されない。
【００６６】
各周波数帯に共通して用いられるアンテナは受信専用のものであってもよい。
【００６７】
この場合における携帯通信端末の一実施形態である携帯電話機１ａを図４に示す。
【００６８】
上記実施の形態で示す携帯電話機１との相違は、アンテナ１１ａセルラー帯通信回路３０ａ、ＰＣＳ帯通信回路４０ａ及びＡＷＳ帯通信回路５０ａの構成である。
【００６９】
上記実施の形態で示す携帯電話機１と同一の構成要素については、同一の符号を付している。これら同一の構成要素は、実施の形態と同様の機能であるので、ここでの説明は省略する。
【００７０】
以下、携帯電話機１の構成要素とは異なるアンテナ１１ａ、セルラー帯通信回路３０ａ、ＰＣＳ帯通信回路４０ａ及びＡＷＳ帯通信回路５０ａについて説明する。
【００７１】
（２−１）アンテナ１１ａ
アンテナ１１ａは、セルラー帯、ＰＣＳ帯、ＡＷＳ帯及びＧＰＳ帯での信号の受信に用いられる。
【００７２】
（２−２）セルラー帯通信回路３０ａ
セルラー帯通信回路３０ａは、セルラー帯で信号の受信を実行する機能を有する通信回路であり、図４で示すように、フィルタ部３１ａ、受信回路３３ａとから構成されている。
【００７３】
フィルタ部３１ａは、例えば、ハイパスフィルタであり、セルラー帯のうち下り８６９〜８９４ＭＨｚの周波数帯域の信号のみを通過させ、上り８２４〜８４９ＭＨｚの周波数帯域の信号は遮断させるものである。
【００７４】
受信回路３３ａは、第１の実施の形態で示した受信回路３３と同様であるので、ここでの説明は省略する。
【００７５】
（２−３）ＰＣＳ帯通信回路４０ａ
ＰＣＳ帯通信回路４０ａは、ＰＣＳ帯で信号の受信を実行する機能を有する通信回路であり、図４で示すように、フィルタ部４１ａ、受信回路４３ａとから構成されている。
【００７６】
フィルタ部４１ａは、例えば、ハイパスフィルタであり、ＰＣＳ帯のうち下り１９３０〜１９９０ＭＨｚの周波数帯域の信号のみを通過させ、上り１８５０〜１９１０ＭＨｚの周波数帯域の信号は遮断させるものである。
【００７７】
受信回路４３ａは、第１の実施の形態で示した受信回路４３と同様であるので、ここでの説明は省略する。
【００７８】
（２−４）ＡＷＳ帯通信回路５０ａ
ＡＷＳ帯通信回路５０ａは、ＡＷＳ帯で信号の受信を実行する機能を有する通信回路で
あり、図４で示すように、フィルタ部５１ａ、受信回路５３ａとから構成されている。
【００７９】
フィルタ部５１ａは、例えば、ハイパスフィルタであり、ＡＷＳ帯のうち下り２１１０〜２１５５ＭＨｚの周波数帯域の信号のみを通過させ、上り１７１０〜１７５５ＭＨｚの周波数帯域の信号は遮断させるものである。
【００８０】
受信回路５３ａは、第１の実施の形態で示した受信回路５３と同様であるので、ここでの説明は省略する。
【００８１】
（３）上記実施の形態及び上記変形例をそれぞれ組み合わせるとしてもよい。
【００８２】
１．４  補足
（１）本発明の一態様である、携帯通信端末は、第１周波数帯での通信と、利用される周波数が互いに近接する第１通信帯域と第２通信帯域とを含む第２周波数帯での通信とを行うアンテナと、前記アンテナで受信した信号に対して周波数分離を行い、前記第１周波数帯及び前記第２周波数帯の何れかの信号を出力する周波数分離回路と、前記第１周波数帯として分離された信号が入力される第１通信部と、通信の時間帯毎に前記第１通信帯域及び前記第２通信帯域が割り当てられた時間分離方式により、前記第２周波数帯として分離された信号の出力先を切り替え、当該信号を出力する切替部と、前記切替部から出力された前記第１通信帯域の信号が入力される第２通信部と、前記切替部から出力された前記第２通信帯域の信号が入力される第３通信部とを備えることを特徴とする。
【００８３】
この構成によると、携帯通信端末は、利用される周波数が互いに近接する第１通信帯域及び第２通信帯域について、第２周波数帯として周波数分離を行った後、時間分離方式により分離している。これにより、１つのアンテナにより、第１周波数帯の通信と第２周波数帯の通信とは同時に行うことができ、且つ同時に通信を行う必要のない第２周波数帯に含まれる第１通信帯域の通信と第２通信帯域との通信についても時間分離方式により確実に行うことができる。従って、当該携帯通信端末は、個別のアンテナを設けることなく、第１通信帯域及び第２通信帯域それぞれによる通信と、第１周波数帯の通信とを並行して実行することができる。
【００８４】
（２）ここで、前記アンテナは受信専用のアンテナであり、前記第１周波数帯は、ＧＰＳ（Ｇｌｏｂａｌ  Ｐｏｓｉｔｉｏｎｉｎｇ  Ｓｙｓｔｅｍ）の受信帯域である１５７５ＭＨｚ帯であり、前記第２周波数帯は、ＰＣＳ（Ｐｅｒｓｏｎａｌ  Ｃｏｍｍｕｎｉｃａｔｉｏｎｓ  Ｓｅｒｖｉｃｅ）及びＡＷＳ（Ａｄｖａｎｃｅｄ  Ｗｉｒｅｌｅｓｓ  Ｓｅｒｖｉｃｅｓ）の受信帯域である１９３０〜２１５５ＭＨｚ帯であり、前記第１通信帯域は、ＰＣＳの受信帯域である１９３０〜１９９０ＭＨｚ帯であり、前記第２通信帯域は、ＡＷＳの受信帯域である２１１０〜２１５５ＭＨｚ帯であるとしてもよい。
【００８５】
この構成によると、携帯通信端末は、ＧＰＳ機能と、ＰＣＳ帯及びＡＷＳ帯の受信とを並行して行うことができる。これにより、ＰＣＳ帯及びＡＷＳ帯の信号の受信時において、ＧＰＳ機能が実行されないという事象を回避することができる。
【００８６】
（３）ここで、前記第２通信部は、さらに、前記第１通信帯域の信号を送信する第１送信機能を有し、前記時間分離方式により通信時間が割り当てられ前記切替部を介して前記周波数回路と接続されると、前記第１送信機能により前記第１通信帯域の信号を前記周波数回路を介して送信し、前記第３通信部は、さらに、前記第２通信帯域の信号を送信する第２送信機能を有し、前記時間分離方式により通信時間が割り当てられ前記切替部を介して前記周波数回路と接続されると、前記第２送信機能により前記第２通信帯域の信号を前記周波数回路を介して送信するとしてもよい。
【００８７】
この構成によると、携帯通信端末は、周波数分離により分離された第２周波数帯を、確実に第１通信帯域と第２通信帯域とに分離するので、第１通信帯域の通信と第２通信帯域の通信とが時間的に重複することはない。これにより、第１通信帯域の通信と第２通信帯域の通信とを、それぞれ個別に確実に行うことができる。
【００８８】
（４）ここで、前記第１周波数帯は、ＧＰＳ（Ｇｌｏｂａｌ  Ｐｏｓｉｔｉｏｎｉｎｇ
Ｓｙｓｔｅｍ）の受信帯域である１５７５ＭＨｚ帯であり、前記第２周波数帯は、１８５０〜２１５５ＭＨｚ帯であり、前記第１通信帯域は、ＰＣＳ（Ｐｅｒｓｏｎａｌ  Ｃｏｍｍｕｎｉｃａｔｉｏｎｓ  Ｓｅｒｖｉｃｅ）の送受信帯域である１８５０〜１９９０ＭＨｚ帯であり、前記第２通信帯域は、ＡＷＳ（Ａｄｖａｎｃｅｄ  Ｗｉｒｅｌｅｓｓ  Ｓｅｒｖｉｃｅｓ）の送受信帯域である１７１０〜１７５５ＭＨＺ及び２１１０〜２１５５ＭＨｚ帯である  としてもよい。
【００８９】
この構成によると、携帯通信端末は、ＧＰＳ機能と、ＰＣＳ帯及びＡＷＳ帯の通信とを並行して行うことができる。これにより、ＰＣＳ帯及びＡＷＳ帯の通信時において、ＧＰＳ機能が実行されないという事象を回避することができる。
【産業上の利用可能性】
【００９０】
本発明の携帯通信端末は、近接する少なくとも２つの周波数帯と、これら周波数帯と分離可能な周波数帯との通信を並行して行う場合に有用である。
【符号の説明】
【００９１】
１    携帯電話機（携帯通信端末）
１０    周波数分離回路
１１    アンテナ
２０    切替部
３０    セルラー帯通信回路
４０    ＰＣＳ帯通信回路
５０    ＡＷＳ帯通信回路
６０    ＧＰＳ帯通信回路
３１、４１、５１    周波数分離部
３２、４２、５２    送信回路
３３、４３、５３、６３    受信回路
７０    ＣＰＵ
１００    ローパスフィルタ
１０１    バンドパスフィルタ
１０２    ハイパスフィルタ
【図１】
2014220851.tif 000003
【図２】
2014220851.tif 000004
【図３】
2014220851.tif 000005
【図４】
2014220851.tif 000006
【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
第１周波数帯での通信と、利用される周波数が互いに近接する第１通信帯域と第２通信帯域とを含む第２周波数帯での通信と、第３周波数帯とでの通信とを行うアンテナと、
前記アンテナで受信した信号に対して周波数分離を行い、前記第１周波数帯、前記第２周波数帯、及び第３周波数帯の何れかの信号を出力する周波数分離回路と、
前記第１周波数帯として分離された信号が入力される第１通信部と、
前記第２周波数帯として分離された信号の出力先を切り替え、当該信号を出力する切替部と、
前記切替部から出力された前記第１通信帯域の信号が入力される第２通信部と、
前記切替部から出力された前記第２通信帯域の信号が入力される第３通信部とを備え、
前記第１周波数帯は、ＧＰＳ（Ｇｌｏｂａｌ  Ｐｏｓｉｔｉｏｎｉｎｇ  Ｓｙｓｔｅｍ）の受信帯域である１５７５ＭＨｚ帯であり、
前記第２周波数帯は、ＰＣＳ（Ｐｅｒｓｏｎａｌ  Ｃｏｍｍｕｎｉｃａｔｉｏｎｓ  Ｓｅｒｖｉｃｅ）及びＡＷＳ（Ａｄｖａｎｃｅｄ  Ｗｉｒｅｌｅｓｓ  Ｓｅｒｖｉｃｅｓ）の受信帯域である１９３０〜２１５５ＭＨｚ帯であり、
前記第１通信帯域は、ＰＣＳの受信帯域である１９３０〜１９９０ＭＨｚ帯であり、
前記第２通信帯域は、ＡＷＳの受信帯域である２１１０〜２１５５ＭＨｚ帯である
ことを特徴とする携帯通信端末。
【請求項２】
前記第３周波数帯は、８６９〜８９４ＭＨｚ帯である
ことを特徴とする請求項１に記載の携帯通信端末。
【請求項３】
前記第２通信部は、さらに、
前記第１通信帯域の信号を送信する第１送信機能を有し、時間分離方式により通信時間が割り当てられ前記切替部を介して前記周波数回路と接続されると、前記第１送信機能により前記第１通信帯域の信号を前記周波数回路を介して送信し、
前記第３通信部は、さらに、
前記第２通信帯域の信号を送信する第２送信機能を有し、前記-時間分離方式により通
信時間が割り当てられ前記切替部を介して前記周波数回路と接続されると、前記第２送信機能により前記第２通信帯域の信号を前記周波数回路を介して送信する
ことを特徴とする請求項１に記載の携帯通信端末。